(57)【要約】【課題】本発明は、起動時にＲＡＭ展開型ソフトの立ち上げ制御に時間を要する場合にも、短時間で起動画面を表示させる電子装置に関する。【解決手段】複合装置１は、操作制御部２０にＣＰＵ２１を設け、電源投入時または節電復帰時の起動時に、操作制御部２０のＣＰＵ２１が、表示制御プログラムを独自に実行して、ＬＣＤモジュール２６の表示を制御する。したがって、起動時の本体制御部１０の状態の如何に関わらず、ＬＣＤモジュール２６に情報を表示することができ、利用性を向上させることができる。【選択図】          図１
2005202105.tif 000002
【特許請求の範囲】
【請求項１】
表示部への各種情報の表示を制御する表示制御部を備え、本体制御部のＣＰＵが、起動時に不揮発性メモリのプログラムをＲＡＭに展開して、当該展開したプログラムに基づいて各種動作を制御するとともに、前記表示制御部に表示指示を与え、前記表示制御部が当該表示指示に応じて前記表示部に情報の表示を行う電子装置において、前記表示制御部にＣＰＵを設け、起動時に、当該表示制御部のＣＰＵが、表示制御プログラムを独自に実行して、前記表示部の表示を制御することを特徴とする電子装置。
【請求項２】
前記表示制御部のＣＰＵは、前記本体制御部のＣＰＵによる前記プログラムの実行準備完了までの時間よりも早く前記表示制御プログラムを起動させることを特徴とする請求項１記載の電子装置。
【請求項３】
前記表示制御部のＣＰＵは、電源投入時または節電復帰時の起動時に、予め設定された規定時間内に前記本体制御部のＣＰＵから所定の応答がない場合に、前記表示制御プログラムを実行して前記表示部に起動画面を表示させることを特徴とする請求項１または請求項２記載の電子装置。
【請求項４】
前記表示制御部のＣＰＵは、前記規定時間内に前記本体制御部のＣＰＵから所定の応答があると、当該本体制御部のＣＰＵから受け取った起動画面を前記表示部に表示させることを特徴とする請求項３記載の電子装置。
【請求項５】
前記表示制御部のＣＰＵは、前記表示制御プログラムによる起動画面を前記表示部に表示中に、前記本体制御部のＣＰＵから所定の応答があると、前記表示中の起動画面を当該本体制御部のＣＰＵから受け取った起動画面に切り換えて前記表示部に表示させることを特徴とする請求項３記載の電子装置。
【発明の詳細な説明】
【技術分野】
【０００１】
本発明は、電子装置に関し、詳細には、起動時にＲＡＭ展開型ソフトの立ち上げ制御に時間を要する場合にも、短時間で起動画面を表示させる電子装置に関する。
【背景技術】
【０００２】
パーソナルコンピュータ、ファクシミリ装置、複写装置等の電子装置にあっては、電源投入時等の本体制御ＣＰＵ（Central Processing Unit ）での立ち上げにおいては、まず、制御プログラムの展開をＲＡＭ（Random Access Memory）に対して行い、その後、ソフトウエアを起動させるようになっている。したがって、ソフトウェアが起動されるまでの展開時間を高速化しても、起動時間の短縮には限界がある。
【０００３】
そのため、電子装置の電源を投入してから表示制御部に起動画面の描画指示が本体制御部からくるまでに時間を要し、起動画面表示の応答が、ＲＯＭ（Read Only Memory）実行型よりも遅くなっている。
【０００４】
そして、本出願人は、先に、第１および第２の制御部を有し、電源投入時、第２の制御部が制御を司るユニットの起動に必要なデータを第１の制御部が有する不揮発性の第１の記憶手段から第２の制御部が有する第２の記憶手段へ転送する電子装置において、前記第１の制御部は、予め設定されている優先順位に従って前記データを前記第１の記憶手段から順次読み出し前記第２の記憶手段へ転送する電子装置を提案している（特許文献１参照）。
【０００５】
【特許文献１】特開２００２−１０８１３７号公報
【発明の開示】
【発明が解決しようとする課題】
【０００６】
しかしながら、上記従来技術にあっては、第１の制御部の不揮発性の第１記憶手段から第２の制御部の第２の記憶手段に転送する際の優先順位を設定しているだけであるため、起動時の表示制御部の起動を速くするのには、なお、改良の必要があった。
【０００７】
そこで、本発明は、本体制御部のＣＰＵとは別に、表示制御部にＣＰＵを設け、本体制御部のＣＰＵの起動準備中に表示制御部の起動を完了させて、自発的に表示制御部が起動画面を表示するようにし、起動準備を速やかに表示させて、利用性の良好な電子装置を提供することを目的としている。
【０００８】
具体的には、請求項１記載の発明は、表示部への各種情報の表示を制御する表示制御部を備え、本体制御部のＣＰＵが、起動時に不揮発性メモリのプログラムをＲＡＭに展開して、当該展開したプログラムに基づいて各種動作を制御するとともに、表示制御部に表示指示を与え、表示制御部が当該表示指示に応じて表示部に情報の表示を行うに際して、表示制御部にＣＰＵを設け、起動時に、表示制御部のＣＰＵが、表示制御プログラムを独自に実行して、表示部の表示を制御することにより、起動時の本体制御部の状態の如何に関わらず、表示部に情報を表示し、利用性の良好な電子装置を提供することを目的としている。
【０００９】
請求項２記載の発明は、表示制御部のＣＰＵが、本体制御部のＣＰＵによるプログラムの実行準備完了までの時間よりも早く表示制御プログラムを起動させることにより、例えば、表示制御部のＣＰＵが表示制御プログラムを不揮発性メモリから直接実行して、すなわち、ＲＯＭ型ソフトを実行して、本体制御部のプログラム起動より早く表示を行い、速やかな表示部への情報の表示を確保して、利用性の良好な電子装置を提供することを目的としている。
【００１０】
請求項３記載の発明は、表示制御部のＣＰＵが、電源投入時または節電復帰時の起動時に、予め設定された規定時間内に本体制御部のＣＰＵから所定の応答がない場合に、表示制御プログラムを実行して表示部に起動画面を表示させることにより、最小限度の時間で起動画面を表示させ、起動準備中であることがユーザに分かるようにして、利用性のより一層良好な電子装置を提供することを目的としている。
【００１１】
請求項４記載の発明は、表示制御部のＣＰＵが、規定時間内に本体制御部のＣＰＵから所定の応答があると、当該本体制御部のＣＰＵから受け取った起動画面を表示部に表示させることにより、規定時間内の本体制御部からの起動画面描画指示があった場合には、最速で当該本体制御部からの起動画面を表示して、速やかに通常の動作状態に移行し、より一層利用性の良好な電子装置を提供することを目的としている。
【００１２】
請求項５記載の発明は、表示制御部のＣＰＵが、表示制御プログラムによる起動画面を表示部に表示中に、本体制御部のＣＰＵから所定の応答があると、表示中の起動画面を当該本体制御部のＣＰＵから受け取った起動画面に切り換えて表示部に表示させることにより、本体制御部の起動が完了すると、表示制御部による表示から本体制御部による表示に速やかに移行し、より一層利用性の良好な電子装置を提供することを目的としている。
【課題を解決するための手段】
【００１３】
請求項１記載の発明の電子装置は、表示部への各種情報の表示を制御する表示制御部を備え、本体制御部のＣＰＵが、起動時に不揮発性メモリのプログラムをＲＡＭに展開して、当該展開したプログラムに基づいて各種動作を制御するとともに、前記表示制御部に表示指示を与え、前記表示制御部が当該表示指示に応じて前記表示部に情報の表示を行う電子装置において、前記表示制御部にＣＰＵを設け、起動時に、当該表示制御部のＣＰＵが、表示制御プログラムを独自に実行して、前記表示部の表示を制御することにより、上記目的を達成している。
【００１４】
この場合、例えば、請求項２に記載するように、前記表示制御部のＣＰＵは、前記本体制御部のＣＰＵによる前記プログラムの実行準備完了までの時間よりも早く前記表示制御プログラムを起動させるものであってもよい。
【００１５】
また、例えば、請求項３に記載するように、前記表示制御部のＣＰＵは、電源投入時または節電復帰時の起動時に、予め設定された規定時間内に前記本体制御部のＣＰＵから所定の応答がない場合に、前記表示制御プログラムを実行して前記表示部に起動画面を表示させるものであってもよい。
【００１６】
さらに、例えば、請求項４に記載するように、前記表示制御部のＣＰＵは、前記規定時間内に前記本体制御部のＣＰＵから所定の応答があると、当該本体制御部のＣＰＵから受け取った起動画面を前記表示部に表示させるものであってもよい。
【００１７】
また、例えば、請求項５に記載するように、前記表示制御部のＣＰＵは、前記表示制御プログラムによる起動画面を前記表示部に表示中に、前記本体制御部のＣＰＵから所定の応答があると、前記表示中の起動画面を当該本体制御部のＣＰＵから受け取った起動画面に切り換えて前記表示部に表示させるものであってもよい。
【発明の効果】
【００１８】
請求項１記載の発明の電子装置によれば、表示部への各種情報の表示を制御する表示制御部を備え、本体制御部のＣＰＵが、起動時に不揮発性メモリのプログラムをＲＡＭに展開して、当該展開したプログラムに基づいて各種動作を制御するとともに、表示制御部に表示指示を与え、表示制御部が当該表示指示に応じて表示部に情報の表示を行うに際して、表示制御部にＣＰＵを設け、起動時に、表示制御部のＣＰＵが、表示制御プログラムを独自に実行して、表示部の表示を制御するので、起動時の本体制御部の状態の如何に関わらず、表示部に情報を表示することができ、利用性を向上させることができる。
【００１９】
請求項２記載の発明の電子装置によれば、表示制御部のＣＰＵが、本体制御部のＣＰＵによるプログラムの実行準備完了までの時間よりも早く表示制御プログラムを起動させるので、例えば、表示制御部のＣＰＵが表示制御プログラムを不揮発性メモリから直接実行して、すなわち、ＲＯＭ型ソフトを実行して、本体制御部のプログラム起動より早く表示を行うことができ、速やかな表示部への情報の表示を確保して、利用性を向上させることができる。
【００２０】
請求項３記載の発明の電子装置によれば、表示制御部のＣＰＵが、電源投入時または節電復帰時の起動時に、予め設定された規定時間内に本体制御部のＣＰＵから所定の応答がない場合に、表示制御プログラムを実行して表示部に起動画面を表示させるので、最小限度の時間で起動画面を表示させることができ、起動準備中であることがユーザに分かるようにして、利用性をより一層向上させることができる。
【００２１】
請求項４記載の発明の電子装置によれば、表示制御部のＣＰＵが、規定時間内に本体制御部のＣＰＵから所定の応答があると、当該本体制御部のＣＰＵから受け取った起動画面を表示部に表示させるので、規定時間内の本体制御部からの起動画面描画指示があった場合には、最速で当該本体制御部からの起動画面を表示して、速やかに通常の動作状態に移行することができ、利用性をより一層向上させることができる。
【００２２】
請求項５記載の発明の電子装置によれば、表示制御部のＣＰＵが、表示制御プログラムによる起動画面を表示部に表示中に、本体制御部のＣＰＵから所定の応答があると、表示中の起動画面を当該本体制御部のＣＰＵから受け取った起動画面に切り換えて表示部に表示させるので、本体制御部の起動が完了すると、表示制御部による表示から本体制御部による表示に速やかに移行することができ、利用性をより一層向上させることができる。
【発明を実施するための最良の形態】
【００２３】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２４】
図１〜図５は、本発明の電子装置の一実施例を示す図であり、図１は、本発明の電子装置の一実施例を適用した複合装置１の本体制御部１０と操作制御部２０のブロック構成図である。
【００２５】
図１において、複合装置１は、本体制御部１０と操作制御部（表示制御部）２０を備えており、コピー機能、ファクシミリ機能、プリンタ機能及びスキャナ機能等の各種機能を備えている。
【００２６】
本体制御部１０は、ＣＰＵ（Central Processing Unit ）１１、ＮＶＲＡＭ（Nonvolatile Random Access Memory）１２、フラッシュＲＯＭ（Read Only Memory）１３、ＳＲＡＭ（Static ＲＡＭ ）１４、ハードディスク１５及びカードスロット１６等を備えており、操作制御部２０は、ＣＰＵ２１、フラッシュＲＯＭ２２、ＳＲＡＭ２３、ＬＣＤ（Liquid Crystal Display）コントローラ２４、ＳＤＲＡＭ（Synchronous Dynamic Random Access Memory）２５、ＬＣＤモジュール２６、タッチパネル２７、ドライバ２８及びキー基板２９等を備えている。
【００２７】
本体制御部１０のＣＰＵ１１と操作制御部２０のＣＰＵ２１とは、同期シリアル等の通信線２で接続されており、描画コマンドやキー入力情報等の双方向データ通信が可能となっている。
【００２８】
操作制御部２０のフラッシュＲＯＭ（不揮発性メモリ）２２には、表示制御プログラム等の制御プログラム及び画面データ等が格納されており、ＳＲＡＭ２３は、ＣＰＵ２１のワーク領域として利用される。
【００２９】
ＬＣＤコントローラ２４は、ＬＣＤモジュール２６を制御して各種情報をＬＣＤモジュール２６に表示出力させ、タッチパネル２７は、ＬＣＤモジュール２６上に重ね合わされて配置されている。タッチパネル２７は、ＬＣＤモジュール２６に表示される操作キーに対応する位置がタッチ操作されると、当該タッチ操作内容をＣＰＵ２１に出力し、ＣＰＵ２１は、当該タッチパネル２７からのタッチ操作内容を認識して当該操作内容に対応する処理を実行する。
【００３０】
キー基板２９には、各種スイッチ（ＳＷ）やＬＥＤ（Light Emitting Diode）が配設されており、ドライバ２８が接続されている。ＣＰＵ２１は、ドライバ２８を介して各種スイッチやＬＥＤを駆動動作させるとともに、ＬＥＤモジュール２６のバックライトの制御を行う。
【００３１】
また、ＬＣＤコントローラ２４には、ＬＣＤモジュール２６に表示する表示画素データの格納されているＳＤＲＡＭ２５が接続されており、ＣＰＵ２１は、ＬＣＤコントローラ２４を介してＳＤＲＡＭ２５からの表示画素データの読み出しやＳＤＲＡＭ２５への表示画素データの書き込みを行う。
【００３２】
そして、ＬＣＤコントローラ２４は、ＳＤＲＡＭ２５のリフレッシュ処理やＳＤＲＡＭ２５からのＬＣＤモジュール２６への表示データの転送（表示信号の出力）を行うが、内部レジスタへの設定によって、このＬＣＤモジュール２６への表示信号の出力を制御することができる。
【００３３】
本体制御部１０のＮＶＲＡＭ１２は、不揮発性メモリであり、複合装置１の電源がオフの場合にも記憶しておくべきデータを記憶する。
【００３４】
フラッシュＲＯＭ（不揮発性メモリ）１３は、複合装置１の制御プログラム及びシステムデータ等を格納しており、ＳＲＡＭ１４は、ＣＰＵ１１のワークメモリとして利用される。ハードディスク１５は、各種データ、例えば、読取画像データ等が格納される。
【００３５】
カードスロット１６には、プログラムやデータの記録されている外部記憶媒体、例えば、ＩＣカードが着脱可能に装着され、ＣＰＵ１１は、当該カードスロット１６に装着された外部記憶媒体からプログラムやデータを読み取り、また、当該外部記憶媒体にプログラムやデータを書き込む。
【００３６】
複合装置１は、図２に示す操作部ユニット３０を備えており、操作部ユニット３０には、上記ＬＣＤモジュール２６の表示部が設けられているとともに、プリント枚数やコピー倍率を入力するためのテンキー３１、プリント動作の開始を指示するためのスタートキー３２、プリント動作の中断やテンキー入力結果のクリアを指示するためのクリア／ストップキー３３、設定されているプリントモードをデフォルト状態に戻すためのリセットキー３４、予熱状態の移行／解除を指示するための予熱キー３５、実行中のプリント動作に割り込んで別のプリント動作をさせるための割込モード移行／解除キー３６、複合装置１の管理者や使用者の使い勝手に合わせた複合装置１の設定を行うための初期設定モード移行／解除キー３７、ＬＣＤモジュール２６上の表示言語を別の言語に切り替える言語切替キー３８、コピー、ＦＡＸ、プリンタ、スキャナ等のアプリケーションを選択するためのアプリ切替キー３９〜４２等のハードキーが設けられている。これらのハードキーのうち、いくつかのハードキー上には、そのキーの選択状態を示すためのＬＥＤ３２ａ、３５ａ、３６ａ、３９ａ〜４２ａが設けられている。特に、スタートキー３２上のＬＥＤ３２ａには、複合装置１がプリント動作可能である場合には緑色に点灯し、動作不可である場合には赤色に点灯する赤・緑両方の色に点灯するＬＥＤが設けられている。
【００３７】
次に、本実施例の作用を説明する。本実施例の複合装置１は、複合装置１の本体の電源を投入したときに、速やかにＬＣＤモジュール２６に起動画面を表示させるところにその特徴がある。
【００３８】
まず、複合装置１の本体制御部１０の電源投入及び節電復帰後から操作制御部２０に起動画面描画指示を出すまでの処理について、図３に基づいて説明する。
【００３９】
複合装置１は、電源投入または節電復帰要求があると（ステップＳ１０１）、本体制御部１０のＣＰＵ１１が、不揮発性メモリであるフラッシュＲＯＭ１３に圧縮されて格納されているプログラムをＳＲＡＭ１４上に実行形式に伸張し（ステップＳ１０２）、伸張が終了して、実行が可能かチェックする（ステップＳ１０３）。
【００４０】
ステップＳ１０３で、伸張が終了していないときには、ＣＰＵ１１は、ステップＳ１０２に戻って伸張を継続し（ステップＳ１０２、Ｓ１０３）、ステップＳ１０３で、プログラムの伸張が終了して実行が可能であると、ＳＲＡＭ１４上でプログラムの実行を開始する（ステップＳ１０４）。
【００４１】
ＣＰＵ１１は、ＳＲＡＭ１４上でプログラムの実行を開始して、本体制御部（コントローラ）ソフトの初期化が完了すると（ステップＳ１０５）、操作制御部（操作パネル）２０に初期起動画面の描画指示コマンドを発行する（ステップＳ１０６）。
【００４２】
次に、操作制御部２０の起動から初期起動画面を表示するまでの処理について、図４及び図５に基づいて説明する。
【００４３】
操作制御部２０のＣＰＵ２１は、本体制御部１０の電源投入または節電復帰要求があると、即時に、不揮発性メモリであるフラッシュＲＯＭ２２に格納されている操作制御部（操作部）ソフトを起動させ（ステップＳ２０１）、ハードウエア及びＯＳ（Operating System）、ソフト本体の初期化を実行して、実行可能状態（表示可能状態）に移行する（ステップＳ２０２）。
【００４４】
ＣＰＵ２１は、実行可能状態に移行すると、本体制御部１０に同期シリアル通信２を使用するために、通信開始要求コマンドを発行するとともに（ステップＳ２０３）、同時に、コマンド応答用タイマをスタートさせ（ステップＳ２０４）、予め設定されている規定時間内に本体制御部１０からの応答があったかチェックする（ステップＳ２０５）。
【００４５】
ステップＳ２０５で、規定時間内に本体制御部１０からの応答があると、ＣＰＵ２１は、本体制御部１０からの描画指示によりＬＣＤモジュール２６の表示部に、例えば、図５に示すような起動画面を表示させる（ステップＳ２０６）。
【００４６】
ステップＳ２０５で、規定時間内に本体制御部１０からの応答がないときには、ＣＰＵ２１は、操作制御部２０のＣＰＵ２１自ら起動画面をＬＣＤモジュール２６の表示部に表示させる（ステップＳ２０７）。このときに、ステップＳ２０４でスタートさせたコマンド応答用タイマは、タイムアウトまたはタイマ計測キャンセルによって停止している。
【００４７】
ＣＰＵ２０７は、自ら起動画面を表示させると、その後に本体制御部１０から起動画面描画指示コマンドがあるか、すなわち、本体制御部１０から応答があるかチェックし（ステップＳ２０８）、応答がないときには、自らの起動画面の表示を継続する（ステップＳ２０７、Ｓ２０８）。ステップＳ２０８で、本体制御部１０から応答があると、ＣＰＵ２１は、本体制御部１０からの描画指示による起動画面と入れ替えて、ＬＣＤモジュール２６の表示部に表示させる（ステップＳ２０６）。
【００４８】
このように、本実施例の複合装置１は、操作制御部２０にＣＰＵ２１を設け、電源投入時または節電復帰時の起動時に、操作制御部２０のＣＰＵ２１が、表示制御プログラムを独自に実行して、ＬＣＤモジュール２６の表示を制御している。
【００４９】
したがって、起動時の本体制御部１０の状態の如何に関わらず、ＬＣＤモジュール２６に情報を表示することができ、利用性を向上させることができる。
【００５０】
また、本実施例の複合装置１は、操作制御部２０のＣＰＵ２１が、本体制御部１０のＣＰＵ１１によるプログラムの実行準備完了までの時間よりも早く表示制御プログラムを起動させている。
【００５１】
したがって、例えば、操作制御部２０のＣＰＵ２１が表示制御プログラムを不揮発性メモリであるフラッシュＲＯＭ２２から直接実行して、すなわち、ＲＯＭ型で実行して、本体制御部１０のプログラム起動より早く表示を行うことができ、速やかなＬＣＤモジュール２６への情報の表示を確保して、利用性を向上させることができる。
【００５２】
さらに、本実施例の複合装置１は、操作制御部２０のＣＰＵ２１が、電源投入時または節電復帰時の起動時に、予め設定された規定時間内に本体制御部１０のＣＰＵ１１から所定の応答がない場合に、表示制御プログラムを実行してＬＣＤモジュール２６に起動画面を表示させている。
【００５３】
したがって、最小限度の時間で起動画面を表示させることができ、起動準備中であることがユーザに分かるようにして、利用性をより一層向上させることができる。
【００５４】
また、本実施例の複合装置１は、操作制御部２０のＣＰＵ２１が、規定時間内に本体制御部１０のＣＰＵ１１から所定の応答があると、本体制御部１０のＣＰＵ１１から受け取った起動画面をＬＣＤモジュール２６に表示させている。
【００５５】
したがって、規定時間内の本体制御部１０からの起動画面描画指示があった場合には、最速で本体制御部１０からの起動画面を表示して、速やかに通常の動作状態に移行することができ、利用性をより一層向上させることができる。
【００５６】
さらに、本実施例の複合装置１は、操作制御部２０のＣＰＵ２１が、表示制御プログラムによる起動画面をＬＣＤモジュール２６に表示中に、本体制御部１０のＣＰＵ１１から所定の応答があると、表示中の起動画面を本体制御部１０のＣＰＵ１１から受け取った起動画面に切り換えてＬＣＤモジュール２６に表示させている。
【００５７】
したがって、本体制御部１０の起動が完了すると、操作制御部２０による表示から本体制御部１０による表示に速やかに移行することができ、利用性をより一層向上させることができる。
【００５８】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５９】
各種情報を表示する表示部を備え、起動時に起動画面を速やかに表示してユーザに起動を速やかに通知する複合装置、複写装置、ファクシミリ装置、プリンタ、コンピュータ等の電子装置に適用することができる。
【図面の簡単な説明】
【００６０】
【図１】本発明の電子装置の一実施例を適用した複合装置の主要部の回路ブロック構成図。
【図２】図１の複合装置の操作部ユニットの平面図。
【図３】図１の複合装置の本体制御部による起動処理を示すフローチャート。
【図４】図１の複合装置の操作部制御部による起動時表示制御処理を示すフローチャート。
【図５】図４の起動時表示制御処理でＬＣＤモジュールの表示部に表示される起動画面の一例を示す図。
【符号の説明】
【００６１】
１  複合装置
２  通信線
１０  本体制御部
１１  ＣＰＵ
１２  ＮＶＲＡＭ
１３  フラッシュＲＯＭ
１４  ＳＲＡＭ
１５  ハードディスク
１６  カードスロット
２０  操作制御部
２１  ＣＰＵ
２２  フラッシュＲＯＭ
２３  ＳＲＡＭ
２４  ＬＣＤコントローラ
２５  ＳＤＲＡＭ
２６  ＬＣＤモジュール
２７  タッチパネル
２８  ドライバ
２９  キー基板
３０  操作部ユニット
３１  テンキー
３２  スタートキー
３３  クリア／ストップキー
３４  リセットキー
３５  予熱キー
３６  割込モード移行／解除キー
３７  初期設定モード移行／解除キー
３８  言語切替キー
３９〜４２  アプリ切替キー
３２ａ、３５ａ、３６ａ、３９ａ〜４２ａ  ＬＥＤ
【図１】
2005202105.tif 000003
【図２】
2005202105.tif 000004
【図３】
2005202105.tif 000005
【図４】
2005202105.tif 000006
【図５】
2005202105.tif 000007